(57)【特許請求の範囲】
【請求項１】
配線ダクトに取付けられて給電される電気器具であって、前記配線ダクトの幅と略等しい幅で前記配線ダクトの長手方向に延びた器具本体と、この器具本体内に設けられた可動なセンサ部と、前記器具本体内に設けられたセンサ制御ブロック用プリント基板とを備え、前記センサ部は、前記器具本体のセンサ用開口部の近傍に回動自在に支持された略球体状の外殻と、この外殻に配置されて前記センサ用開口部に臨むセンサと、前記センサで検知した信号を送るための最低限の回路で構成しかつノイズ低減用コンデンサを含むセンサ回路を実装するとともに一部が前記外殻より前記器具本体の長手方向に突出するように前記外殻に配置されたプリント基板とを有し、前記プリント基板の前記外殻より突出した部分に前記ノイズ低減用コンデンサおよびリード線の一端が実装され、前記リード線の他端を前記センサ制御ブロック用プリント基板に接続した電気器具。
【請求項２】
前記器具本体は前記センサ用開口部の縁部より内方に突出して内端部で前記外殻を摺動自在に支持する筒状部を有し、前記センサは前記筒状部内に進入している請求項１記載の電気器具。
【請求項３】
前記センサ部が前記器具本体の長手方向の一端部に設けられ、前記プリント基板は前記器具本体の中心側に向けて突出している請求項１または請求項２記載の電気器具。
【請求項４】
前記センサが人体検知センサである請求項１、請求項２または請求項３記載の電気器具。
【請求項５】
前記器具本体が照明器具用である請求項１、請求項２、請求項３または請求項４記載の電気器具。
【発明の詳細な説明】
【０００１】
【発明の属する技術分野】
この発明は、配線ダクト用の例えば可動なセンサ付きスポットライト等の電気器具に関するものである。
【０００２】
【従来の技術】
従来、特開２０００−６５９５１号のように検知範囲を変更する目的でセンサ部に軸やヒンジ部を設けて可動にしたものや、特開平１０−３８１７号のようにセンサ部を略球形にし、それを略円形の開口をもつ受けで支えて回転機構としたものがあった。
【０００３】
【発明が解決しようとする課題】
しかし、配線ダクト用の電気器具をセンサ付きにする場合、大きさに限度があり、配線ダクトの幅方向は狭く長手方向は比較的余裕がとれることを活かすことができず、配線ダクトの幅に納まる幅の狭いコンパクトなものができない。
【０００４】
したがって、この発明の目的は、配線ダクト用であって可動なセンサ部を有してコンパクトにすることができる電気器具を提供することである。
【０００５】
【課題を解決するための手段】
請求項１記載の電気器具は、配線ダクトに取付けられて給電される電気器具であって、前記配線ダクトの幅と略等しい幅で前記配線ダクトの長手方向に延びた器具本体と、この器具本体内に設けられた可動なセンサ部と、前記器具本体内に設けられたセンサ制御ブロック用プリント基板とを備え、前記センサ部は、前記器具本体のセンサ用開口部の近傍に回動自在に支持された略球体状の外殻と、この外殻に配置されて前記センサ用開口部に臨むセンサと、前記センサで検知した信号を送るための最低限の回路で構成しかつノイズ低減用コンデンサを含むセンサ回路を実装するとともに一部が前記外殻より前記器具本体の長手方向に突出するように前記外殻に配置されたプリント基板とを有し、前記プリント基板の前記外殻より突出した部分に前記ノイズ低減用コンデンサおよびリード線の一端が実装され、前記リード線の他端を前記センサ制御ブロック用プリント基板に接続したものである。
【０００６】
請求項１記載の電気器具によれば、センサ部は略球体状の外殻とその外殻より器具本体の長手方向に突出するプリント基板とで構成したため、例えばコンデンサ等の電気部品やリード線をプリント基板の外殻から突出した部分に設けることにより、外殻を小型化できるとともに、プリント基板および電気部品が邪魔になることなく、また回転機構にヒンジなど特殊の部材を使用することなく、センサ部を回動可能にできるとともに、器具本体を配線ダクトの幅と略等しい幅にできるのでコンパクトにできる。さらに外殻が球体であるため、センサの保持力および操作力をばね圧などで容易に調整することができる。
【０００７】
請求項２記載の電気器具は、請求項１において、前記器具本体が前記センサ用開口部の縁部より内方に突出して内端部で前記外殻を摺動自在に支持する筒状部を有し、前記センサは前記筒状部内に進入しているものである。
【０００８】
請求項２記載の電気器具によれば、請求項１と同様な効果のほか、センサの器具本体からの突出を少なくし目立ちにくくしながら、操作スペースを確保することができる。
【０００９】
請求項３記載の電気器具は、請求項１または請求項２において、前記センサ部が前記器具本体の長手方向の一端部に設けられ、前記プリント基板は前記器具本体の中心側に向けて突出しているものである。
【００１０】
請求項３記載の電気器具によれば、請求項１または請求項２と同様な効果のほか、器具本体を小型化できる。
【００１１】
請求項４記載の電気器具は、前記センサが人体検知センサである請求項１、請求項２または請求項３記載の電気器具。
【００１２】
請求項４記載の電気器具によれば、請求項１、請求項２または請求項３と同様な効果がある。
【００１３】
請求項５記載の電気器具は、照前記器具本体が照明器具用である請求項１、請求項２、請求項３または請求項４記載の電気器具。
【００１４】
請求項５記載の電気器具によれば、請求項１、請求項２、請求項３または請求項４と同様な効果がある。
【００１５】
【発明の実施の形態】
この発明の第１の実施の形態を図１から図５により説明する。すなわち、この電気器具は、配線ダクト１に取付けられて給電される電気器具Ａであって、器具本体２と、センサ部３を有する。
【００１６】
器具本体２は、配線ダクト１の幅と略等しい幅で配線ダクト１の長手方向に延びている。実施の形態では器具本体２が照明器具用であり、アーム１０を器具本体２の端部より垂下してアーム１０の下端部にスポットライト用の灯具１１を設けている。また器具本体２の別の端部にセンサ用開口部４を設け、センサ用開口部４の縁部より器具本体２の内方に突出して内端部で後述の外殻５を摺動自在に支持する円錐台形状の筒状部１７を形成している。１２はダクト取付部であり、ダクト取付部１２に制御用ブロックおよびセンサ部３を納める器具本体２および蓋１５が付いている。
【００１７】
１３は配線ダクト１から受電するためのプラグ部、１４は制御用ブロックのセンサ制御ブロック用プリント基板、１５は配線ダクト１内に位置する器具本体用の蓋、１６はプリント基板１４の点灯保持時間調整つまみである。
【００１８】
センサ部３は可動であり器具本体２に設けられているが、外殻５とプリント基板８を有する。外殻５は略球体状をなし、器具本体２のセンサ用開口部４の近傍に回動自在に支持されている。プリント基板８は外殻５に配置されてセンサ用開口部４に臨むセンサ６およびセンサ回路７を実装したもので、一部８ａが外殻５より器具本体２の長手方向に突出している。
【００１９】
実施の形態において、センサ部３はセンサ用開口部４に対応して器具本体２の長手方向の一端部に設けられている。外殻５はプリント基板８の突出方向と水平方向に９０°離れた位置に一対の軸２２を突出し、軸２２を間にして支持する一対の突条２３を器具本体２のばね係止部２１の内側に低い姿勢で形成している。また外殻５は下部に筒状の突出部５ａを設け、突出部５ａ内にセンサ６の先端部を突出し、突出部５ａを器具本体２の筒状部１７内に進入して、外殻５の球状表面を筒状部１７の端部に摺接し、例えば略Ｕ字形の板ばねを用いた弾性体２０で上から押えている。この弾性体２０は、図３に示すようにばね係止部２１の一対の突条２３の上側の部分に両端が挿入され、蓋１５を器具本体２に取付けることにより蓋１５に押されて弾性体２０の中央部で外殻５に圧接する。これにより外殻５が筒状部１７に押し当てられて摩擦により保持され、突出部５ａを把持して筒状部１７内で回動させたときも摩擦で係止する。これによりセンサ６は軸２２を中心とした首振り回動と軸２２が突条２３に沿って移動することによる回動が可能である。センサ６は人体検知センサである。
【００２０】
プリント基板８は器具本体２の中心側に向けて突出するように、外殻５内に係止されている。このプリント基板８はノイズ低減のためのコンデンサ２５などの電気部品のほか、検知した信号を送るための最低限のセンサ回路７を設けるものであり、コンデンサ２５などの大きな電気部品およびリード線２６が外殻５の外側のプリント基板８の一部８ａに実装され、センサ制御ブロック用プリント基板１４とはリード線２６で繋がっている。
【００２１】
第１の実施の形態によれば、センサ部３は略球体状の外殻５とその外殻５より器具本体２の長手方向に突出するプリント基板８とで構成したため、例えばコンデンサ２５等の電気部品やリード線２６をプリント基板８の外殻５から突出した部分に設けることにより、これらが邪魔になることなく、また回転機構にヒンジなど特殊の部材を使用することなく、センサ部３を回動可能にできるとともに、器具本体２を配線ダクト１の幅と略等しい幅にできるのでコンパクトにできる。さらに外殻５が球体であるため、センサ６の保持力および操作力をばね圧などで容易に調整することができる。
【００２２】
また外殻５を筒状部１７で支持することにより、センサ６の器具本体２からの突出を少なくし目立ちにくくしながら、操作スペースを確保することができる。
【００２３】
ダクト取付部１２を配線ダクト１の幅にすることにより意匠が向上する。また筒状部１７によりプリント基板８が回動する際のスペースを確保できるとともに、筒状部１７の高さと傾きでセンサ６の可動範囲を設定できる。
【００２４】
この発明の第２の実施の形態を図６に示す。すなわち、プリント基板８を外殻５の器具本体２の長手方向における両方に突出したもので、可動範囲を広げたり、調整したり、重量バランスをとることができる。その他は第１の実施の形態と同様である。
【００２５】
この発明の第３の実施の形態を図７に示す。すなわち、第１の実施の形態において、弾性体２０に板ばねに代えてコイルばねを用いたものであり、コイルばねの摩擦力と押圧力を利用するものである。なおコイルばねの場合、器具本体２がが左右割りの場合にも対応できる。
【００２６】
【発明の効果】
請求項１記載の電気器具によれば、センサ部は略球体状の外殻とその外殻より器具本体の長手方向に突出するプリント基板とで構成したため、例えばコンデンサ等の電気部品やリード線をプリント基板の外殻から突出した部分に設けることにより、外殻を小型化できるとともに、プリント基板および電気部品が邪魔になることなく、また回転機構にヒンジなど特殊の部材を使用することなく、センサ部を回動可能にできるとともに、器具本体を配線ダクトの幅と略等しい幅にできるのでコンパクトにできる。さらに外殻が球体であるため、センサの保持力および操作力をばね圧などで容易に調整することができる。
【００２７】
請求項２記載の電気器具によれば、請求項１と同様な効果のほか、センサの器具本体からの突出を少なくし目立ちにくくしながら、操作スペースを確保することができる。
【００２８】
請求項３記載の電気器具によれば、請求項１または請求項２と同様な効果のほか、器具本体を小型化できる。
【００２９】
請求項４記載の電気器具によれば、請求項１、請求項２または請求項３と同様な効果がある。
【００３０】
請求項５記載の電気器具によれば、請求項１、請求項２、請求項３または請求項４と同様な効果がある。
【図面の簡単な説明】
【図１】この発明の第１の実施の形態を示し、（ａ）は断面図、（ｂ）はその部分底面図である。
【図２】図１のセンサ部の断面図である。
【図３】（ａ）はセンサ部の断面図、（ｂ）はその動作状態の断面図である。
【図４】センサ部の斜視図である。
【図５】その分解斜視図である。
【図６】第２の実施の形態を示し、（ａ）はセンサ部の断面図、（ｂ）はその動作状態の断面図である。
【図７】第３の実施の形態の要部断面図である。
【符号の説明】
１    配線ダクト
２    器具本体
３    センサ部
４    センサ用開口部
５    外殻
５ａ    突出部
６    センサ
７    センサ回路
８    プリント基板
８ａ    一部
１１    灯具
１７    筒状部
２０    弾性体
【図１】
0003804414.tif 000002
【図２】
0003804414.tif 000003
【図３】
0003804414.tif 000004
【図４】
0003804414.tif 000005
【図５】
0003804414.tif 000006
【図６】
0003804414.tif 000007
【図７】
0003804414.tif 000008